(57)【要約】【課題】この発明は、大きい割には面白味が無く使い難い玩具箱を、道具を使わず組み立て分解ができ、楽しく遊びながら学べる、知育玩具としての玩具箱を提供する。【解決手段】箱全体を模型にし、底板、両脇板、前後板、蓋板を細分化して部品にし、各部品は、切り込みや突起溝を付けて、嵌め込みや噛み合わせ、挟み込みなどで仕組み、道具を使わずに箱全体を組み立て分解式にし、出し入れ口を数箇所に設け車を付けて知育玩具にしたことを特徴とする。【選択図】図１
2013233397.tif 000002
【特許請求の範囲】
【請求項１】
箱全体を模型にし、底板、両脇板、前後板、蓋板を細分化して部品にし、各部品は、切り込みや突起溝を付けて、嵌め込みや噛み合わせ、挟み込みなどで仕組み、道具を使わずに箱全体を組み立て分解式にし、出し入れ口を数箇所に設け車を付けて知育玩具にしたことを特徴とする玩具箱。
【発明の詳細な説明】
【技術分野】
【０００１】  この発明は、道具を使わず組み立て分解ができる、知育玩具の玩具箱に関するものである。
【背景技術】
【０００２】  従来、玩具箱は大きい割には使い難く、面白味が無かった。また、箱そのものを知育玩具にしたものはなかった。（特許文献１、２参照）
【先行技術文献】
【０００３】
【特許文献１】特開２００６−０６１６０３号広報
【特許文献２】特開２００６−０３４６１５号広報
【発明の概要】
【発明が解決しようとする課題】
【０００４】  従来の玩具箱は次のような欠点があった。
（イ）大きく場所を取るが、収納機能しかなかった。
（ロ）出し入れ口が上部１箇所のため、玩具が重なり合って取り出し難かった。
（ハ）単純な箱型で、デザイン性に欠けて愛着がもてなかった。
（ニ）箱そのものに遊びや学びの要素は無かった。
本発明は、以上のような欠点をなくすためになされたものである。
【課題を解決するための手段】
【０００５】（イ）図１に示すように、箱全体を犬の形に模型化し、底板、両脇板、前後板、蓋板を犬の各部位になぞらえて、多くの部品に細分化する。
（ロ）図５に示すように、各部品は、切り込みや突起溝を付けて、嵌め込みや噛み合わせ、挟み込みなどで仕組み、道具を使わずに箱全体を組み立て分解式にする。
（ハ）出し入れできる所を、犬の頭、背中、尻、耳、顔の各部位に設け、犬の足部に車を付ける。
本発明は、以上の構成よりなる知育玩具の玩具箱である。
【発明の効果】
【０００６】（イ）動物や車等に模して様々な造形美を楽しめ、愛着がもてる。
（ロ）開閉部が多数有り、出し入れが多様にでき便利である。
（ハ）車が付いて移動が容易なため、幼児が引き歩きを楽しめる。
（二）道具無しで簡単に繰り返し組み立て分解が出来る。
（ホ）組み立ての順序や仕組みを考え、遊びながら学ぶことができる。
（ヘ）類似する部品が多くあり、立体パズルのような楽しさがある。
（ト）組み立て分解する度、玩具の整理整頓、清掃がされることになる。
（チ）小さくすれば組み木細工に、大きくすれば実用の犬小屋にもなる。
【図面の簡単な説明】
【０００７】
【図１】本発明の斜視図である。
【図２】本発明の正面図である。
【図３】本発明の右側面図である。
【図４】本発明の背面図である。
【図５】本発明の分解斜視図である。
【発明を実施するための形態】
【０００８】  以下、本発明を実施するための形態について、図５の分解斜視図に従って説明する。
（１）脇板１の２枚は、直角三角棒を２列に貼った突起溝のある面を向かい合わせに平行に立て、前底板２と後底板３の突起溝を上にし、前後から脇板１の横の突起溝に挟み水平に滑らせ、さらに、前底板２と後底板３の１列広くなっている両端上向きの突起溝に、脇板１の下部両端部を挟み前後が揃うまで入れる。
（２）背板４は、予め、左右の脇腹部模様板５を、各３枚とも脇板１の切れ込みの形と、各個に付いているダボホゾとホゾ穴を合わせて、天端が平になるよう順序よく入れてから、背板４の両端の突起溝を下向きにし、脇板１と脇腹模様板５の天端を挟みながら、後ろから前方向に水平に滑らせ、後頭部の切れ込み奥まで嵌め込む。
（３）耳板６は、左右ともに、脇板１の耳形の切り抜きに、少し斜めに入れて水平にし、切抜きの左右にある補強板を貼った鉤型のダボ溝に、耳板６のダボホゾを入れ、それを回転軸にして垂直に下げる。
（４）出し入れ口蓋板７は、２枚とも、背板４の出し入れ口の端を噛み合わせるために板２枚を貼った方を下にして中に入れ、前後に幅寄せして出し入れ口の端を噛ませて蓋をする。空いた隙間に幅寄せ止め桟蓋板８を、同じように、板を貼った方を下にして、出し入れ口の端を噛ますように差し込み、出し入れ口蓋板７の外れを防ぐ。
（５）前板９は、予め、耳板６と同じように、鼻板１１のダボホゾを顔板１０のダボ溝に入れてから、顔板１０のダボホゾを前板９のダボ溝に入れそれぞれ回転軸で垂直に下げる。それから、前板９を左右脇板１の最前部、縦の突起溝に挟んで上から垂直に落とし込み、前底板２の上向きの突起溝に差し込む。
（６）幅止め板１２は、両端の突起溝を下に向け、その突起溝を、左右脇板１の先端部の切れ込みに嵌め込み、左右脇板１の幅揺れを防ぎ、安定化を図る。
（７）後頭板１３は、左右脇板１の後頭部縦の突起溝に挟み、上から垂直に落とし込み、背板４の上向き突起溝に差し込む。
（８）右頭頂板１４は、表裏に２枚づつ化粧板を貼り長く、左頭頂板１５は表に２枚の化粧板が貼ってあり短い。長短２枚組合せで、前板９と後頭板１３の内側頂部斜めの突起溝に入れて屋根形にする。左頭頂板１５から突起溝に挟んで斜めに滑り込ませ、次に右頭頂板１４を突起溝に挟んで斜めに滑り込ませ、脇板１の天端まで入れる。左右頭頂板１４と１５の最上部は、前板９と後頭板１３の最上部を組み込んで固定する。
（９）頭頂板止め組み板桟１６は、屋根型の左右頭頂板１４と１５の最上部中央切れ込みに嵌め込み、右頭頂板１４が直接抜けないようにする。
（１０）後板１７は、切れ込みに尻部模様板１８を２枚とも、ダボホゾをホゾ穴に合わせて入れ、左右脇板１の最後部縦の突起溝に挟み垂直に落とし込み、底板２の上向きの突起溝に差し込む。同時に後板１７の最上部１本の三角突起棒で背板４を上から押える。
（１１）尻尾の止め桟１９は、後板１７を直接抜けなくするもので、左右２つとも、左右脇板１の最後部と後板１７の左右の切り込み部を、尻尾の止め桟１９の切れ込み部と相欠き嵌め込みにする。
（１２）車輪覆貼板２０は、最初だけ予め、４枚とも脇板１の脚部角を合わせて外側から接着固定し、脚部の補強をして置く。
（１３）車軸受板２１は、４枚とも凸部を前底板２と後底板３の切れ込み部に差し込んで止め桟とし、前底板２と後底板３の抜け出しを防ぐとともに車軸受板２１を安定させる。
（１４）車輪２２は、４個所とも脇板１の脚部切れ込みに入れ、車軸２３を外側から、車輪覆貼板２０と車輪２２と車軸受板２１の軸穴を、貫通させ回転軸とし回転させる。
（１５）車軸受板止め詮２４は４箇所とも、２本づつ外側から、車輪覆貼板２０と脇板１の脚部切れ込み両側と車軸受板２１の各詮穴を貫通させ、３枚の板を一体として安定させる。
本発明は、以上のような組み立て順序で完成するが、この順序を逆にたどれば分解順序となる。（ただし、車輪覆貼板２０は接着のため外れない）このような構造である。
他の実施例を説明する。
箱の大きさを小さくすれば、組み木細工としての玩具や小物入れ、飾り置物になり、板を厚くして大きくすれば、室内犬実用の犬小屋にもなるものである。
【符号の説明】
【０００９】  １  脇板
２  前底板
３  後底板
４  背板
５  脇腹部模様板
６  耳板
７  出し入れ口蓋板
８  幅寄せ止め桟蓋板
９  前板
１０  顔板
１１  鼻板
１２  幅止め板
１３  後頭板
１４  右頭頂板
１５  左頭頂板
１６  頭頂板止め組み板桟
１７  後板
１８  尻部模様板
１９  尻尾の止め桟
２０  車輪覆貼板
２１  車軸受板
２２  車輪
２３  車軸
２４  車軸受板止め詮
【図１】
2013233397.tif 000003
【図２】
2013233397.tif 000004
【図３】
2013233397.tif 000005
【図４】
2013233397.tif 000006
【図５】
2013233397.tif 000007